(57)【要約】【課題】平地および坂道でもウォーキングの最中に体重心が安定し、なおかつ手首の関節へ負担のない自然な手首の状態で杖を持って約９０°に曲げた肘の状態から関節を伸ばす無駄な動きなく腕を前後に振りながら普通に歩く歩幅で歩行する理想的なフォームでのウォーキングを可能とするウォーキング用の杖を開発すること。【解決手段】グリップ部２と上部シャフト部３と下部シャフト部４で構成されている杖１において、グリップ部２は上部シャフト部の中心線８を基準として平面視逆時計方向にα屈曲させ、下部シャフト部４は上部シャフト部の中心線８を基準として平面視時計方向にβが４５°以下で、かつ下部シャフト部４の先端はグリップ部２の先端より上部シャフト部の中心線８からの長さが大きくなるように、かつ下部シャフト部４の先端は上部シャフト部の中心線８からの長さＬ３が１５ｃｍ以下に、屈曲させたことを特徴とするウォーキング用の杖。【選択図】  図１
2010184107.tif 000002
【特許請求の範囲】
【請求項１】
グリップ部と上部シャフト部と下部シャフト部で構成されている杖において、グリップ部は上部シャフト部の中心線を基準として平面視逆時計方向に屈曲させ、下部シャフト部は上部シャフト部の中心線を基準として平面視時計方向に４５°以下で、かつ下部シャフト部の先端はグリップ部の先端より上部シャフト部の中心線からの長さが大きくなるように、かつ下部シャフト部の先端は上部シャフト部の中心線からの長さが１５ｃｍ以下に、屈曲させたことを特徴とするウォーキング用の杖。
【請求項２】
下部シャフト部は、その先端に石突が設けられ、石突は下部シャフト部の中心線を基準として上部シャフト部の中心線の反対側にふくらみのある形状で、かつ石突のふくらみ部分は屈曲性を良くするための手段を設けてあり、かつ石突の底面は上部シャフト部の中心線に対して約９０°となることを特徴とする請求項１記載のウォーキング用の杖。
【発明の詳細な説明】
【技術分野】
【０００１】
本発明は、ウォーキングに適した杖に関する。
【背景技術】
【０００２】
ウォーキングのときに使用する杖で最も一般的なものにグリップ部からシャフト部にかけて直線状の杖がある。ウォーキングのときに杖を使用する目的は２つあり、体を支持することでバランスを補助して体重心を安定させる目的と、腕の動きによって体を前方へ押し出すための推進力を補助する目的である。しかし、直線状の杖を使用したウォーキングで上記する２つの目的を同時に満たすことは難しい。
【０００３】
ウォーキングのときに杖を使用する２つの目的を同時に達成するためには２つの条件を理解する必要がある。１つ目の条件は、図６に示す左手で杖を持ったウォーキングのときの右足と左足とシャフト部の先端接地との位置関係が二等辺三角形になる斜線部分Ｘの位置へシャフト部の先端を接地することである。図６に示すように右足と左足とシャフト部の先端接地との位置関係が二等辺三角形となる状態が体重心の支持基底面として最も安定している。そして、図６で後ろ足となっている左足が前へ蹴りだされるときで左足が空中に浮いているときは片足と杖での立位姿勢状態となるが、グリップ部とシャフト部の先端を結ぶ杖の荷重線は鉛直線に近く荷重方向が安定しているため杖で体を安定的に支持することが出来る。
【０００４】
２つ目の条件は、杖を使用したウォーキングの理想的なフォームである。まず、ウォーキングの最も理想的なフォームは、肘を約９０°に曲げた状態で腕を前後に振りながら普通に歩く歩幅で歩行するフォームである。宮下充正著「ウォーキングブック」（２００６年、有限会社ブックハウス・エイチディ）（以下非特許文献１）には歩幅と身長の関係が示してあり、普通に歩く歩幅は身長×０．３７となっている。そして、手首の関節は自然な手首の状態で杖のグリップ部を持つことが重要で、図８に示すように自然な手首の状態は前腕の中央線と第３指が一直線上になる関節の位置で、手首の関節への負担が最も少ない関節の位置であり、自然な手首の状態で直線状の杖を把持すると角度γに示すように前腕の中央線と第３指を結ぶ線の垂直線に対して直線状の杖は約１５°の傾斜を示す。手首の関節は杖のグリップ部を持つときの関節の角度によって負担が生じやすく疲れや痛みの原因になりやすい。
【０００５】
以下に直線状の杖を使用したウォーキングについて説明する。まず、個々の身長に応じて杖の長さは調節される必要があり、個々の身長に応じた直線状の杖の長さは直立姿勢で腕を自然におろした状態から肘を約９０°に曲げて自然な手首の状態でグリップ部を持ちシャフト部の先端が地面に接地する長さである。ウォーキングのときに杖を使用する目的の１つで、体を支持することでバランスを補助して体重心を安定させる目的を主体として直線状の杖を使用してウォーキングをしたときは、図６に示す右足と左足とシャフト部の先端接地との位置関係が二等辺三角形になる斜線部分Ｘの位置へシャフト部の先端を意識的に接地させるように使用するため杖で体を安定的に支持することで体重心の安定を得ることができるが、手首を親指側へ不自然に曲げて手首の関節に負担をかける状態にして、かつ手と肩の距離が近くなるように肘を９０°よりも深く曲げるためウォーキングのときに腕を前後に振る動きを阻害することになり、ウォーキングの理想的なフォームを実現できない。
【０００６】
ウォーキングのときに杖を使用する目的のもう１つで、腕の動きによって体を前方へ押し出すための推進力を補助する目的を主体として直線状の杖を使用してウォーキングをしたときについて、図９の自然な手首の状態で直線状の杖を持って普通に歩く歩幅でウォーキングを行う様子を示す図を用いて説明する。図９−ａのときに右足と左足とシャフト部の先端接地との位置関係は図６に示すＣの位置となっており、体重心の支持基底面として安定した状態ではない。図９−ｂのときに片足と杖での立位姿勢状態となるが、体の斜め後方へシャフト部の先端を向けて杖を接地しているため鉛直線に対して杖が全体的に傾斜することとなりグリップ部が地面の方へ向かう回転モーメントを生じやすく、杖で体を安定的に支持することができないためバランスを補助できず体重心の安定を得られない。図９−ｃのときには腕の動きで約９０°に曲げていた肘を伸ばす動きが出現し始め、図９−ｄのときに肘はほぼ伸びきった状態となり、腕の動きでは肘を伸ばす動きが顕著に出現している。杖を使用したウォーキングのときの腕の動きは、図７に示すように足部に対してシャフト部の先端を接地する位置と肘を伸ばす動きに関係がある。ここで、図７に示すＡ、Ｂ、Ｃの位置は図６に示すＡ、Ｂ、Ｃの位置と一致している。自然な手首の状態で直線状の杖を持って普通に歩く歩幅でウォーキングを行ったときに、直線状の杖のシャフト部の先端の接地位置は図６、図７に示すＣの位置である。図７−ｉから図７−ｉｉになったとき右足の踵が地面から離れた状態となり、足の踏み返し部分であるＡの位置を支点とした足底への接線Ｙとシャフト部の先端接地の位置との長さの分だけ肘を伸ばす動きが出現することになるため、直線状の杖を使用したウォーキングでは図７−ｉｉのＬ６に示す長さの分だけ肘を伸ばす動きが出現する。シャフト部の先端接地の位置が足の踏み返し部分である図７に示すＡの位置から踵方向になるにつれて、足の踏み返し部分であるＡの位置を支点とした足底への接線Ｙとシャフト部の先端接地の位置との長さが大きくなるため肘を伸ばす動きが大きくなっていく。腕の動きで肘を伸ばす動きが出現することは腕のエクササイズ効果を高めることにつながるが、その反面としてウォーキングの理想的なフォームからすると無駄な動きをすることになるため腕への負担を生じやすく、疲労感の蓄積で長時間の使用を阻害することや肘周辺の関節や筋肉へ痛みを誘発することにつながる。上記してきたように、腕の動きによって体を前方へ押し出すための推進力を補助する目的を主体として直線状の杖を使用してウォーキングをしたときは、図６に示す右足と左足とシャフト部の先端接地との位置関係が二等辺三角形になる斜線部分Ｘの位置へシャフト部の先端を接地することがないため杖で体を安定的に支持することができず体重心の安定を得られない、かつ腕の動きで約９０°に曲げていた肘をそれ以上に伸ばす動きが顕著に出現するためウォーキングの理想的なフォームを実現できない。
【０００７】
直線状の杖のこのような問題点を少し解決した杖として、例えば特表平５−５０１９６４号公報（以下特許文献１）に記載されている杖がある。この特許文献１に記載されている杖を図示したものが図１０−ｉである。図１０−ｉに図示されている特許文献１の杖は、グリップ部と上部シャフト部と下部シャフト部で構成され、手首の負担を軽くするために上部シャフト部に対してグリップ部は角度を１５°〜５０°に変更することのできるものであり、下部シャフト部は上部シャフト部に対して前方向に屈曲させたものである。ただ、下部シャフト部を上部シャフト部に対して前方向に屈曲させているのは、特許文献１の３頁左上部の１４〜１６行に記載されているように、シャフトの線が足の線に近似しているので美的外観として前方向に屈曲させているだけであり、ウォーキングに適した杖の形状を意識して屈曲させているものではない。
【０００８】
図１０−ｉに示す特許文献１に記載されている杖のグリップ部の角度を１５°にした場合の状態を図示したものが図１０−ｉｉに示すものである。この図１０−ｉｉからわかるように、この特許文献１の杖はグリップ部を上部シャフト部に対して最も立てた状態のときでも、グリップ部の先端を通る上部シャフト部に平行な線と下部シャフト部の先端との位置関係は、ウォーキングをする際にグリップ部を手で自然に把持した際の人差し指が接触する部分をグリップ部の先端とみると、下部シャフト部の先端がグリップ部の先端を通る上部シャフト部に平行な線を基準として上部シャフト部側もしくはグリップ部の先端を通る上部シャフト部に平行な線上に位置している。下部シャフト部の先端には石突が設けてあり、図１０−ｉｉｉには石突の形状を示している。石突の形状は底部が平坦で前方および後方がやや丸みをおびている。
【先行技術文献】
【特許文献】
【０００９】
【特許文献１】特表平５−５０１９６４号公報
【非特許文献】
【００１０】
【非特許文献１】「ウォーキングブック」、宮下充正著、有限会社ブックハウス・エイチディ、２００６年、ｐ．４４、表６−１
【発明の概要】
【発明が解決しようとする課題】
【００１１】
以下に特許文献１の杖を使用したウォーキングについて説明する。まず、個々の身長に応じて杖の長さは調節される必要があり、個々の身長に応じた特許文献１の杖の長さは直立姿勢で腕を自然におろした状態から肘を約９０°に曲げて自然な手首の状態でグリップ部を持ち下部シャフト部の先端が地面に接地する長さである。図１１に自然な手首の状態で特許文献１の杖を持って普通に歩く歩幅でウォーキングを行う様子を示してある。図１１−ａのときの下部シャフト部の先端の接地位置は図６に示す左手で杖を持ったウォーキングのときの右足と左足とシャフト部の先端接地との位置関係が二等辺三角形になる斜線部分Ｘの中に示すＢの位置へ下部シャフト部の先端を自然と接地するため、バランスを補助して体重心を安定させる目的の条件を満たしていることから体重心の安定したウォーキングを行うことが出来る。図１１−ｂのときは杖と片足で体を支持する状態になるが、杖で体を安定的に支持することが出来るため体重心の安定を得ることが出来ている。
【００１２】
しかしながら、図１１−ａ〜ｃのときは肘を約９０°に曲げた状態を維持できているが、図１１−ｄのときは肘を約９０°に曲げた状態からそれ以上に伸ばす動きが出現する。図７に示す足部に対してシャフト部の先端を接地する位置と肘を伸ばす動きの関係で、特許文献１の杖の下部シャフト部の先端接地の位置はＢの位置である。図７−ｉから図７−ｉｉになったとき右足の踵が地面から離れた状態となっており、足の踏み返し部分であるＡの位置を支点とした足底への接線Ｙと下部シャフト部の先端接地の位置Ｂとの長さの分だけ肘を伸ばす動きが出現することから、特許文献１の杖を使用したウォーキングでは図７−ｉｉのＬ７に示す長さの分だけ肘を伸ばす動きが出現する。
【００１３】
さらに、図１２−ｅに坂道の上りで特許文献１の杖を使用する様子を示すように、平地でのウォーキングのときに比べて杖を持った腕の肘を伸ばす動きが顕著に出現している。坂道では傾斜がある分だけ踵が地面から離れる量が大きくなるため、肘を約９０°に曲げた状態からそれ以上に伸ばす動きが平地でのウォーキングのときに比べてより大きく出現することになる。なおかつ、坂道は傾斜がある分だけ体を重力に抗して押し上げる必要があるため、平地でのウォーキングに比べて腕に対する負担が大きくなり疲労感を蓄積することや肘周囲の筋肉や関節へ痛みを誘発することになりやすい。
【００１４】
さらに、図１２−ｆに坂道の下りで特許文献１の杖を使用する様子を示すように、坂道を下るとき体が前方向へ落ちそうな感覚があるため、潜在意識として下部シャフト部の先端をつま先付近またはつま先の前方へ接地するようにする。そのため、坂道の下りで特許文献１の杖を使用するときは、下部シャフト部の先端をつま先付近またはつま先の前方へ接地できるように意識的に手首を親指側へ不自然に曲げて杖を操作することが必要となることから、手首の関節へ負担を生じることになり手首へ痛みを誘発することや握力低下を生じるなど操作上の欠点がある。もしくは、杖を意識的に操作することなく坂道を下るときに特許文献１の杖を使用したときは歩幅が狭くなり小刻みな足取りとなる。
【００１５】
そして、図１３に特許文献１の杖の下部シャフト部と地面の成す角度に応じた石突の状態を示している。図１３−ａ〜ｄは図１１−ａ〜ｄの状態に対応しており、図１３−ｅは図１２−ｅの状態に対応している。特に図１３−ｅのときは坂道の上りのときに特許文献１の杖を使用した状態で、坂道の傾斜が急になるほど地面と下部シャフト部の成す角度は鋭角になっていく。しかし、特許文献１の杖の下部シャフト部の先端に設けてある石突の形状では坂道の上りの傾斜が急になるにつれて石突と地面の接地面が狭くなり地面から滑りやすく腕の効率的な推進作用を得ることが出来ない。
【００１６】
本発明は、これらの問題点を解決するために、杖を使用したウォーキングのときにシャフト部の先端の接地位置が図６に示す右足と左足とシャフト部の先端接地との位置関係で二等辺三角形となる位置で、かつ図７に示すシャフト部の先端を接地する位置と肘を伸ばす動きの関係で足の踏み返し部分にあたるＡの位置、つまり図６に示す斜線部分Ｘの中のＡの位置へ自然と接地するため、平地および坂道でもウォーキングのときに体重心が安定し、なおかつ手首の関節へ負担のない自然な手首の状態で杖を持って肘を約９０°に曲げた状態からそれ以上に肘を伸ばす無駄な動きをすることなく腕を前後に振りながら普通に歩く歩幅で歩行する理想的なフォームでのウォーキングを可能とするウォーキング用の杖を開発することを目的としている。
【課題を解決するための手段】
【００１７】
本発明のウォーキング用の杖は、グリップ部と上部シャフト部と下部シャフト部で構成されている杖において、グリップ部は上部シャフト部の中心線を基準として平面視逆時計方向に屈曲させ、下部シャフト部は上部シャフト部の中心線を基準として平面視時計方向に４５°以下で、かつ下部シャフト部の先端はグリップ部の先端より上部シャフト部の中心線からの長さが大きくなるように、かつ下部シャフト部の先端は上部シャフト部の中心線からの長さが１５ｃｍ以下に、屈曲させたことを特徴とするものである。
【００１８】
また、本発明のウォーキング用の杖の下部シャフト部は、その先端に石突きが設けられ、石突は下部シャフト部の中心線を基準として上部シャフト部の中心線の反対側にふくらみのある形状で、かつ石突はふくらみ部分の屈曲性を良くするための手段を設けてあり、かつ石突の底面は上部シャフト部の中心線に対して約９０°となることを特徴とするものである。
【００１９】
本発明において、下部シャフト部は上部シャフト部の中心線を基準として平面視時計方向に４５°以下の屈曲としたのは、シャフト部にある屈曲の角度が４５°以上の杖を使用してウォーキングをした場合、シャフト部が折れ曲がる方向への分力が体重を支持する分力よりも大きくなるため、シャフト部に設ける屈曲の角度として不適切であるからである。
【００２０】
また、下部シャフト部の先端はグリップ部の先端より上部シャフト部の中心線からの長さが大きくなるとしたのは、自然な手首の状態で杖を持ち普通に歩く歩幅でウォーキングをしたときに、図７に示すシャフト部の先端を接地する位置と肘を伸ばす動きの関係で足の踏み返し部分にあたるＡの位置へ、かつ図６に示す左手で杖を持ったウォーキングのときの歩行時の右足と左足とシャフト部の先端接地との位置関係が二等辺三角形になる斜線部分Ｘの中のＡの位置へ下部シャフト部の先端を自然と接地することができるからである。
【００２１】
さらに、下部シャフト部の先端は上部シャフト部の中心線からの長さが１５ｃｍ以下としたのは、下部シャフト部の先端は上部シャフト部の中心線からの長さが１５ｃｍ以上になると図６に示す左手で杖を持ったウォーキングのときの右足と左足とシャフト部の先端接地との位置関係でＤの位置へ下部シャフト部の先端を接地することになりウォーキングのときの体重心の安定が悪くなるからである。
【００２２】
さらに、石突は下部シャフト部の中心線を基準として上部シャフト部の中心線の反対側にふくらみのある形状で、かつ石突はふくらみ部分の屈曲性を良くするための手段を設けてあり、かつ石突の底面は上部シャフト部の中心線に対して約９０°となるとしたのは、平地のウォーキングで石突が地面に接地した直後から底面の全面接地を可能とし、なおかつ平地および坂道において下部シャフト部と地面の成す角度が変化しても石突のふくらみ部分が変形することで石突の底面を地面に広く接地することが出来るため石突と地面との摩擦を十分に得ることで杖を持った腕の効率的な推進作用を可能とするからである。
【発明の効果】
【００２３】
本発明は、グリップ部と上部シャフト部と下部シャフト部で構成されている杖において、グリップ部は上部シャフト部の中心線を基準として平面視逆時計方向に屈曲させ、下部シャフト部は上部シャフト部の中心線を基準として平面視時計方向に４５°以下で、かつ下部シャフト部の先端はグリップ部の先端より上部シャフト部の中心線からの長さが大きくなるように、かつ下部シャフト部の先端は上部シャフト部の中心線からの長さが１５ｃｍ以下に、屈曲させたので、手首の関節へ負担のない自然な手首の状態で杖を持ち普通に歩く歩幅でウォーキングをすると、下部シャフト部の先端の接地位置は右足と左足とシャフト部の先端接地との位置関係が二等辺三角形で、かつ杖を持った腕の肘を約９０°に曲げた状態から伸ばす無駄な動きが出現することのないシャフト部の先端の接地位置へ自然と接地することで、体重心の安定したウォーキングを可能とし、かつ平地および坂道の上り下りで杖を使用しても自然な手首の状態と肘を約９０°に曲げた状態を維持して腕を前後に振ることが出来るため、杖を持った腕の手首や肘への負担を最小限に抑えながら最も理想的なウォーキングのフォームを維持することが可能となった。
【００２４】
さらに、本発明は、下部シャフト部の先端に設けられた石突において、下部シャフト部の中心線を基準として上部シャフト部の中心線の反対側にふくらみのある形状で、かつ石突はふくらみ部分の屈曲性を良くするための手段を設けてあり、かつ石突の底面は上部シャフト部の中心線に対して約９０°としたので、石突が地面に接地した直後から底面の全面接地を可能とし、かつウォーキングのときに平地および坂道において下部シャフト部と地面の成す角度が変化しても石突のふくらみ部分が変形することで石突の底面を地面に広く接地することによって十分な摩擦を得ることが出来るため、平地および坂道でも地面から滑ることなく杖を持った腕で体を前方へ押し出すための推進力を効率的に得ることが可能となった。
【００２５】
また、そのために、従来の杖を使用したウォーキングと比べて歩行速度が速くなった。
【００２６】
しかも、本発明の杖は、ウォーキングでの使用で効率的な腕の動きをするため腕全体への負担が最も少なく、なおかつ下部シャフト部の先端が体重心の安定する位置へ自然と接地するので、足腰が虚弱になりがちな中高年者がウォーキングに使用する杖としても最適な形状の杖となっている。
【図面の簡単な説明】
【００２７】
【図１】本発明の杖を示す図。
【図２】本発明の石突を示す図。
【図３】本発明の杖を持って普通に歩く歩幅でウォーキングを行う様子を示す図。
【図４】本発明の杖を持って坂道の上り下りを行う様子を示す図。
【図５】本発明の石突の下部シャフト部と地面の成す角度に応じた変化を示す図。
【図６】左手で杖を持ったウォーキングのときの右足と左足とシャフト部の先端接地との位置関係を示す図。
【図７】足部に対してシャフト部の先端を接地する位置と肘を伸ばす動きの関係を示す図。
【図８】手首の関節への負担が最も少ない自然な手首の状態を示す図。
【図９】自然な手首の状態で直線状の杖を持って普通に歩く歩幅でウォーキングを行う様子を示す図。
【図１０】特許文献１の杖を示す図。
【図１１】自然な手首の状態で特許文献１の杖を持って普通に歩く歩幅でウォーキングを行う様子を示す図。
【図１２】特許文献１の杖を持って坂道の上り下りを行う様子を示す図。
【図１３】特許文献１の杖の下部シャフト部と地面の成す角度に応じた石突の状態を示す図。
【発明を実施するための形態】
【００２８】
以下、図１を参照しながら本発明について詳細に説明する。
図１−ｉは本発明の杖を示したもので、本発明のウォーキング用の杖１はグリップ部２と上部シャフト部３と下部シャフト部４で構成されている。グリップ部２は長さ１３ｃｍで上部シャフト部の中心線８を基準として平面視逆時計方向に１５°屈曲し、下部シャフト部４は長さ３７ｃｍで上部シャフト部の中心線８を基準として平面視時計方向に１５°屈曲した構成である。図１−ｉｉは本発明の杖のグリップ部の先端と下部シャフト部の先端との位置関係を示したもので、ウォーキングをする際にグリップ部を手で自然に把持した際の人差し指が接触する部分をグリップ部の先端とみると、下部シャフト部の先端はグリップ部の先端を通る上部シャフト部に平行な線に重なることなく、グリップ部の先端を通る上部シャフト部に平行な線を基準として上部シャフト部の中心線の反対側に位置している。そのため、図１−ｉに示すＬ３はＬ４より必ず大きくなる。
【００２９】
グリップ部２の長さＬ１は１３ｃｍが最適であるが、１０〜１５ｃｍの範囲であれば把持部として適当である。また、グリップ部２は上部シャフト部の中心線８を基準として平面視逆時計方向に角度α屈曲し、角度αは１５°が最適で１０〜２０°の範囲であれば手首の関節を自然な状態に保持する角度として適当である。グリップ部２は使用者が手で持つ部分であり、上部シャフト部３の上側に装着固定することになる。グリップ部２は手掌で把持した状態に適合した形状や、手掌で把持したときに杖の前後の向きを認識しやすい形状のものが好ましく、加工性に優れた材料で例えば合成プラスチックや合成ゴム等で形成される。
【００３０】
下部シャフト部４の長さＬ２は３２〜４０ｃｍの範囲が適当で３７ｃｍが最適である。また、下部シャフト部４は上部シャフト部の中心線８を基準として平面視時計方向に角度β屈曲し、角度βは４５°以下が適当で１２．５〜１７．５°の範囲が好ましく１５°が最適である。ここで、下部シャフト部４は上部シャフト部の中心線８を基準として平面視時計方向へ４５°以下で屈曲しているが、屈曲の始点から下部シャフト部の先端を結ぶ直線と上部シャフト部の中心線８で成す角度が屈曲の角度である。そのため、下部シャフト部４は直線状のものが好ましいが、湾曲した形状のものであってもよい。下部シャフト部４の先端は上部シャフト部の中心線８からの長さＬ３が１５ｃｍ以下となることが適当で７〜１２ｃｍの範囲が最適であり、ウォーキングで杖を使用したときに下部シャフト部４の先端の接地位置が体重心の最も安定し、なおかつ肘を伸ばす無駄な動きの出現しない位置へ自然と接地することができる。下部シャフト部４の先端は地面と接触する部位であるため石突５を装着する。
【００３１】
杖を構成するシャフトは中空のパイプで構成され、上部シャフト部３のパイプの挿入連結部６で太いパイプ３ａに細いパイプ３ｂが出没自在に挿入連結されている。上部シャフト部３で太いパイプ３ａと細いパイプ３ｂは２段構成になり、体型に合わせて杖の長さを調整する目的でラチェット方式の伸縮調整機能７を設けてある。
【００３２】
身長１４０ｃｍで地面から肘までの高さは８５ｃｍ、身長１８０ｃｍで地面から肘までの高さは１１０ｃｍで、身長と地面から肘までの高さには比例の関係がある。杖を構成するシャフトの全長は、下部シャフト部の先端を地面に接地して上部シャフト部の中心線８を地面と垂直にした状態で、地面からグリップ部２と上部シャフト部３の境界までの長さＬ５が身長１４０ｃｍで８５ｃｍ、身長１８０ｃｍで１１０ｃｍになるように上部シャフト部３と下部シャフト部４を構成する。伸縮調整機能７はラチェット方式でピッチ幅を２．５ｃｍ刻みで２５ｃｍの伸縮幅を設けることによって身長１４０〜１８０ｃｍまでの体型に伸縮調整で対応することができる。
【００３３】
杖を構成するシャフトは軽くて丈夫で錆びにくい材料で形成されるのが好ましく、例えばアルミニウムやスチール、チタン、カーボン、もしくはその合金等で形成される。杖の長さの伸縮調整機能７であるラチェット方式のピッチ幅は、シャフトの材質に備わる強度を考慮して２．５ｃｍまたは３ｃｍなど適正なピッチ幅とする。
【００３４】
下部シャフト部４の先端には石突５が設けてあり、図２には本発明の石突を示してある。石突の縦断面５ａに示すように石突５は下部シャフト部の中心線９を基準として上部シャフト部の中心線８の反対側にふくらみのある形状となっており、かつ石突５のふくらみ部分は屈曲性を良くするための手段を設けてある。石突５のふくらみ部分に設けてある屈曲性を良くするための手段とは、石突５の弾力性をより効果的に利用するため下部シャフト部４の先端を斜めに切り込みを設けることで弾性部分の体積を大きくすることや、石突５のふくらみ部分にくりぬき部分１３を設けることや、石突底部の溝１４を設けることである。石突５と下部シャフト部４の先端の間には摩耗防止用金具１５が装着されており、摩耗防止用金具１５は下部シャフト部４の先端から石突５への圧力を分散するために装着されている。角度Ｒに示すように石突の底面５ｂは上部シャフト部の中心線８に対して約９０°となる。石突５には滑り止めと緩衝性、耐摩耗性の機能が求められ、摩擦抵抗を備えた適度に柔軟な材料で例えば合成ゴムやエラストマーによって形成される。
【００３５】
図５には石突５の下部シャフト部４と地面の成す角度に応じた変化を示してある。図５−ａ〜ｄは図３−ａ〜ｄの状態に対応しており、図５−ｅは図４−ｅの状態に対応している。石突５はふくらみ部分の屈曲性を良くするための手段を設けてあるため、図５に示すように下部シャフト部４と地面の成す角度が変化しても、石突の底面５ｂが広い面積で地面に接触するため効率的に石突５と地面の間で摩擦力を得ることができる。
【００３６】
本発明のウォーキング用の杖１を使用して普通に歩く歩幅でウォーキングを行う様子を図３に、本発明のウォーキング用の杖１を使用して坂道の上り下りをする様子を図４に示す。まず、個々の身長に応じて杖の長さは調節される必要があり、個々の身長に応じた本発明の杖の長さは直立姿勢で腕を自然におろした状態から肘を約９０°に曲げて、グリップ部２が上部シャフト部の中心線８を基準として平面視逆時計方向へ屈曲した方向を前向きとして自然な手首の状態でグリップ部２を持って、下部シャフト部４の先端が地面に接地する長さとなるように伸縮調整機能７にてシャフトの長さを調整する。図３は水平な平地、図４は坂道であるが、本発明のウォーキング用の杖１を使用したときはいずれの路面の状態においても自然な手首の状態でグリップ部を持ち、かつ腕は肘を約９０°に維持しながら前後に振ることが可能である。そのため、本発明のウォーキング用の杖１を使用したウォーキングは平地および坂道でもウォーキングの最中に体重心が安定し、なおかつ手首の関節へ負担のない自然な手首の状態で杖を持って約９０°に曲げた肘の状態から関節を伸ばす無駄な動きなく腕を前後に振りながら普通に歩く歩幅で歩行する理想的なフォームでのウォーキングが可能である。
【００３７】
図６に示す左手で杖を持ったウォーキングのときの右足と左足とシャフト部の先端接地との位置関係について普通に歩く歩幅に対応して説明してきた。歩幅が広くなる場合の足の動きは後方へ足を蹴り出す動きがより強く出現することが主体で、前側へ振り出す足の接地の状態に大きな変化はない。そのため、本発明のウォーキング用の杖１を使用したウォーキングで歩幅が広くなったとしても、図６に示す右足と左足とシャフト部の先端接地との位置関係は後ろ足の位置がより後ろ側へ変化するのみであるため二等辺三角形の関係性に変わりはない。
【００３８】
尚、以上に述べる実施形態は本発明の好適な具体例であり、これらの態様に限られるものではない。
【符号の説明】
【００３９】
１・・・ウォーキング用の杖
２・・・グリップ部
３・・・上部シャフト部
３ａ・・・太いパイプ
３ｂ・・・細いパイプ
４・・・下部シャフト部
５・・・石突
５ａ・・・石突の縦断面
５ｂ・・・石突の底面
６・・・パイプの挿入連結部
７・・・伸縮調整機能
８・・・上部シャフト部の中心線
９・・・下部シャフト部の中心線
１０・・・本発明の杖のグリップ部の先端
１１・・・本発明の杖のグリップ部の先端を通る上部シャフト部に平行な線
１２・・・本発明の杖の下部シャフト部の先端
１３・・・くりぬき部分
１４・・・石突底部の溝
１５・・・磨耗防止用金具
１６・・・水平な平地
１７・・・水平線
１８・・・右足
１９・・・左足
２０・・・前腕の中央線と第３指を結ぶ線
２１・・・前腕の中央線と第３指を結ぶ線に垂直な線
２２・・・直線状の杖
２３・・・特許文献１の杖のグリップ部
２４・・・特許文献１の杖の上部シャフト部
２５・・・特許文献１の杖の下部シャフト部
２６・・・特許文献１の杖の石突
２７・・・特許文献１の杖のグリップ部の先端
２８・・・特許文献１の杖のグリップ部の先端を通る上部シャフト部に平行な線
２９・・・特許文献１の杖の下部シャフト部の先端
Ｌ１・・・グリップ部の長さ
Ｌ２・・・下部シャフト部の長さ
Ｌ３・・・上部シャフト部の中心線から下部シャフト部の先端までの長さ
Ｌ４・・・上部シャフト部の中心線からグリップ部の先端までの長さ
Ｌ５・・・下部シャフト部の先端を地面に接地して上部シャフト部の中心線を地面と垂直にした状態で地面からグリップ部と上部シャフト部の境界までの長さ
Ｌ６・・・直線状の杖を使用したウォーキングのときに肘を伸ばす分の長さ
Ｌ７・・・特許文献１の杖を使用したウォーキングのときに肘を伸ばす分の長さ
Ａ・・・本発明の杖を自然な手首の状態で持って普通に歩く歩幅のウォーキングをしたときに下部シャフト部の先端が接地する位置
Ｂ・・・特許文献１の杖を自然な手首の状態で持って普通に歩く歩幅のウォーキングをしたときに下部シャフト部の先端が接地する位置
Ｃ・・・直線状の杖を自然な手首の状態で持って普通に歩く歩幅のウォーキングをしたときにシャフト部の先端が接地する位置
Ｄ・・・下部シャフト部の先端が上部シャフト部の中心線からの長さが１５ｃｍ以上になるときに下部シャフト部の先端が接地する位置
Ｘ・・・左手で杖を持ったウォーキングのときの右足と左足とシャフト部の先端接地との位置関係が二等辺三角形になるシャフト部の先端の接地位置
Ｙ・・・足の踏み返し部分であるＡの位置を支点とした足底への接線
α・・・グリップ部が上部シャフト部の中心線を基準として屈曲する角度
β・・・下部シャフト部が上部シャフト部の中心線を基準として屈曲する角度
γ・・・前腕の中央線と第３指を結ぶ線に垂直な線と直線状の杖が成す角度
Ｒ・・・上部シャフト部の中心線と石突の底部の成す角度
【図１】
2010184107.tif 000003
【図２】
2010184107.tif 000004
【図３】
2010184107.tif 000005
【図４】
2010184107.tif 000006
【図５】
2010184107.tif 000007
【図６】
2010184107.tif 000008
【図７】
2010184107.tif 000009
【図８】
2010184107.tif 000010
【図９】
2010184107.tif 000011
【図１０】
2010184107.tif 000012
【図１１】
2010184107.tif 000013
【図１２】
2010184107.tif 000014
【図１３】
2010184107.tif 000015
【手続補正書】
【提出日】平成22年3月30日(2010.3.30)
【手続補正１】
【補正対象書類名】特許請求の範囲
【補正対象項目名】請求項２
【補正方法】変更
【補正の内容】
【請求項２】
下部シャフト部は、その先端に石突が設けられ、石突は下部シャフト部の中心線を基準として上部シャフト部の中心線の反対側にふくらみのある形状で、かつ石突のふくらみ部分は屈曲性を良くするための手段として、下部シャフト部の先端を斜めに切り込みを設けることで弾性部分の体積を大きくすること、石突のふくらみ部分にくりぬき部分を設けること、または、石突底部に溝を設けることのうち、少なくともいずれか一つの手段を設けてあり、かつ石突の底面は上部シャフト部の中心線に対して約９０°となることを特徴とする請求項１記載のウォーキング用の杖。
【手続補正２】
【補正対象書類名】明細書
【補正対象項目名】００１８
【補正方法】変更
【補正の内容】
【００１８】
また、本発明のウォーキング用の杖の下部シャフト部は、その先端に石突が設けられ、石突は下部シャフト部の中心線を基準として上部シャフト部の中心線の反対側にふくらみのある形状で、かつ石突のふくらみ部分は屈曲性を良くするための手段として、下部シャフト部の先端を斜めに切り込みを設けることで弾性部分の体積を大きくすること、石突のふくらみ部分にくりぬき部分を設けること、または、石突底部に溝を設けることのうち、少なくともいずれか一つの手段を設けてあり、かつ石突の底面は上部シャフト部の中心線に対して約９０°となることを特徴とするものである。
【手続補正３】
【補正対象書類名】明細書
【補正対象項目名】００２２
【補正方法】変更
【補正の内容】
【００２２】
さらに、石突は下部シャフト部の中心線を基準として上部シャフト部の中心線の反対側にふくらみのある形状で、かつ石突のふくらみ部分は屈曲性を良くするための手段として、下部シャフト部の先端を斜めに切り込みを設けることで弾性部分の体積を大きくすること、石突のふくらみ部分にくりぬき部分を設けること、または、石突底部に溝を設けることのうち、少なくともいずれか一つの手段を設けてあり、かつ石突の底面は上部シャフト部の中心線に対して約９０°となるとしたのは、平地のウォーキングで石突が地面に接地した直後から底面の全面接地を可能とし、なおかつ平地および坂道において下部シャフト部と地面の成す角度が変化しても石突のふくらみ部分が変形することで石突の底面を地面に広く接地することが出来るため石突と地面との摩擦を十分に得ることで杖を持った腕の効率的な推進作用を可能とするからである。
【手続補正４】
【補正対象書類名】明細書
【補正対象項目名】００２４
【補正方法】変更
【補正の内容】
【００２４】
さらに、本発明は、下部シャフト部の先端に設けられた石突において、下部シャフト部の中心線を基準として上部シャフト部の中心線の反対側にふくらみのある形状で、かつ石突のふくらみ部分は屈曲性を良くするための手段として、下部シャフト部の先端を斜めに切り込みを設けることで弾性部分の体積を大きくすること、石突のふくらみ部分にくりぬき部分を設けること、または、石突底部に溝を設けることのうち、少なくともいずれか一つの手段を設けてあり、かつ石突の底面は上部シャフト部の中心線に対して約９０°としたので、石突が地面に接地した直後から底面の全面接地を可能とし、かつウォーキングのときに平地および坂道において下部シャフト部と地面の成す角度が変化しても石突のふくらみ部分が変形することで石突の底面を地面に広く接地することによって十分な摩擦を得ることが出来るため、平地および坂道でも地面から滑ることなく杖を持った腕で体を前方へ押し出すための推進力を効率的に得ることが可能となった。